(57)【要約】【課題】センタホール型の揚重ジャッキにより大型発電プラントのボイラモジュールを吊り上げる際に使用する吊りロッドであって、該吊りロッドを構成するロッド単体間の連結部における緩み発生を抑制したロッド単体及び吊りロッドを提供する。【解決手段】短尺のロッド単体同士を軸方向に螺着連結して長尺化した構成とし、前記ロッド単体は、軸部の上端部に該軸部より大径の頭部を形成し、該頭部の天頂面に雌ネジ部が、該軸部の下端に雄ネジ部がそれぞれ形成され、該頭部の側面に止めネジ穴を設け、前記ロッド単体締結時に前記止めネジ穴に対向する位置に前記雄ネジ部のネジ山を切削して形成したネジ山平坦面とネジ山垂直面を設け、前記止めネジ穴に螺貫した止めネジと前記ネジ山垂直面との当接によって前記ロッド単体の緩みを抑制する。【選択図】図４
0003181477.tif 000002
【実用新案登録請求の範囲】
【請求項１】
短尺のロッド単体同士を軸方向に螺着連結して長尺化した構成とし、前記ロッド単体は、軸部の上端部に該軸部より大径の頭部を形成し、該頭部の天頂面に雌ネジ部が、該軸部の下端に雄ネジ部がそれぞれ形成され、該頭部の側面に止めネジ穴を設け、前記ロッド単体締結時に前記止めネジ穴に対向する位置に前記雄ネジ部のネジ山を切削して形成したネジ山平坦面とネジ山垂直面を設け、前記止めネジ穴に螺貫した止めネジと前記ネジ山垂直面との当接によって前記ロッド単体の緩みを抑制することを特徴とする吊りロッド。
【考案の詳細な説明】
【技術分野】
【０００１】
本考案は、センタホール型の揚重ジャッキにより大型発電プラントのボイラモジュールを吊り上げる際に使用する吊りロッドに係り、特に吊りロッドを構成するロッド単体同士の連結部における緩み発生を抑制した吊りロッドに関する。
【背景技術】
【０００２】
大型吊下げ式ボイラを有する火力発電所は、吊下げ架構となる鉄骨フレームの天端部にボイラ支持用の大梁を設け、この大梁にボイラ構成部品を吊下げた状態で支持するようにしている。この構築には吊上げ施工方式が一般的に採用されている。この工法は、仮設梁や大梁などの支持梁に設置した複数の揚重ジャッキを用い、ボイラ構成部品のモジュールを地上から揚重ジャッキを利用して吊上げながら付帯部品を組みつけていき、最終的に地上から数十メートル上方の大梁に対し吊りロッドなどを用いて吊下げ支持させるものである。このような作業を、ボイラ上部に組み付けられるモジュールから順にボイラ下部に配置されるモジュールまで、モジュール単位に繰り返して行われることにより、ボイラ設備全体が構築される。
【０００３】
図１に示すように、重量構造物であるボイラモジュール１０の周囲に鉄骨柱１２を設置し、この鉄骨柱１２の上部に仮設梁１４を設ける。この仮設梁１４上にセンタホール型揚重ジャッキ１６を配設し、ボイラモジュール１０を下端に取り付けた吊りロッド１８を支持している。
【０００４】
前記吊りロッド１８は図２に示すように、短尺のロッド単体１８Ｓ同士を軸方向に螺着連結されて長尺化した構成となっている。ロッド単体１８Ｓの構造は、軸部２０の上端部に該軸部２０より大径の頭部２２を形成し、該頭部２２の天頂面に雌ネジ部２４が、該軸部２０の下端に雄ネジ部２６が形成されたものである。前記ロッド単体１８Ｓ同士をネジ結合により連続して接続することにより１本の長い吊りロッド１８を形成し、前記ロッド単体１８Ｓの頭部２２を利用してジャッキアップできるようにしている。
【０００５】
図３はボイラ建設時のジャッキアップの様子を示したもので、ボイラ室を構成するボイラ鉄骨４０の上部に作業床４２が形成されており、この作業床４２に制御盤や、センタホール型揚重ジャッキ１６を駆動するための油圧ユニット４６、５８などが設置してある。そして、ボイラ鉄骨４０にはボイラサイド鉄骨フレーム４８が設けられ、この支柱５０の上端部に設けたジャッキベース５２にセンタホール型揚重ジャッキ１６を据え付けてボイラモジュール１０を昇降させるようにしている。また、前記センタホール型揚重ジャッキ１６には前記ロッド単体１８Ｓの頭部２２を挟み込んで回転させることでロッド単体１８Ｓ同士の連結あるいは分離を行う機構（図示せず）が設けられている。なお、図ではボイラモジュール１０の片側を吊上げ支持している１つのジャッキのみを示しているが、実際の例としては、片側に８台のセンタホール型揚重ジャッキ１６を配列し、図示していない他方の片側をやはり８台のセンタホール型揚重ジャッキ１６で吊上げ支持するようにしている。
【０００６】
吊りロッドは長い場合で全長５０ｍほどに達し、ロッド単体の総数で１００個程に及ぶこと、また、ボイラ建設場所の多くが海岸等の近くにあり、風等による振動の影響で各ロッド単体の接続部における緩みが発生し、その結果、吊りロッド間での均等な牽引が行えなくなる虞があった。
【０００７】
特許文献１にはジャッキの自然降下防止を目的として、ジャッキロッドの表面にネジを刻設し、これに噛み合うナット状のストッパを設けて任意のストローク位置でのロッドの伸張高さを保持する機構が開示されている。しかし、この方法はロッド表面のネジ刻設が必要なため、その分コスト増となる上、本願のロッドに適用しようとすると、ストッパが障害物となってセンタホール型揚重ジャッキとの干渉を起こす問題がある。
【０００８】
特許文献２にはボルト・ナットの緩み防止を目的として、予めナットの側壁部にピン穴を貫設しておき、同ナットをボルトに螺着した後で、ボルトより硬質であって、一端に尖り先を形成した止めピンを同ピン穴を通じて同尖り先がボルトの谷部に貫入するまで打ち込み嵌設する構成が開示されている。しかし、この方法によると、ボルト（本願ではロッド単体の雄ネジ部）のネジ部が損傷し、本願のジャッキ用のロッド単体のように繰り返し脱着を行う場合に、前記ネジ部の損傷によってロッド単体がスムーズに回転しなくなる虞がある。
【先行技術文献】
【特許文献】
【０００９】
【特許文献１】実開平５−８２９８４号公報
【特許文献２】登録実用新案第３０５３１７７号公報
【考案の概要】
【考案が解決しようとする課題】
【００１０】
本考案は、センタホール型の揚重ジャッキにより大型発電プラントのボイラモジュールを吊り上げる際に使用する吊りロッドであって、該吊りロッドを構成するロッド単体間の連結部における緩み発生を抑制したロッド単体及び吊りロッドを提供することを課題とする。
【課題を解決するための手段】
【００１１】
上記課題を解決するため本考案の吊りロッドは、短尺のロッド単体同士を軸方向に螺着連結して長尺化した構成とし、前記ロッド単体は、軸部の上端部に該軸部より大径の頭部を形成し、該頭部の天頂面に雌ネジ部が、該軸部の下端に雄ネジ部がそれぞれ形成され、該頭部の側面に止めネジ穴を設け、前記ロッド単体締結時に前記止めネジ穴に対向する位置に前記雄ネジ部のネジ山を切削して形成したネジ山平坦面とネジ山垂直面を設け、前記止めネジ穴に螺貫した止めネジと前記ネジ山垂直面との当接によって前記ロッド単体の緩みを抑制することを特徴とする。
【００１２】
これにより、止めネジをネジ山平坦面に軽く当接する位置まで螺貫させるだけで、ロッド単体の緩み方向の回転が止めネジとネジ山垂直面の当接によって防止されるため、雄ネジ部のネジ山を損傷すること無く、ロッド単体の緩み防止が行える。また、止めネジの螺貫には大きな力は必要ないことから、特別な機械を用いることなく人力で行える効果がある。
【考案の効果】
【００１３】
本考案によれば、止めネジによる雄ネジ部のネジ山の損傷が無く、ロッド単体を繰り返して使用できる効果がある。
【図面の簡単な説明】
【００１４】
【図１】本考案の吊りロッドが使用されるボイラ建設時の概要を示す概要図。
【図２】本考案のロッド単体及び吊りロッドを示す概要図。
【図３】本考案のロッド単体及び吊りロッドの使用状況を示す側面図。
【図４】本考案のロッド単体の接続状況を示す透視図。
【図５】本考案のロッド単体の止めネジ部の詳細を表す断面図。
【考案を実施するための形態】
【００１５】
以下、図に基づいて本考案の実施例を説明する。
図３は実施形態に係るロッド単体及び吊りロッドを用いたジャッキアップ装置によりボイラモジュール１０を吊上げている状態の説明図である。図３において、ボイラ室を構成するボイラ鉄骨４０の上部には、作業床４２が形成されており、この作業床４２に制御盤や、センタホール型揚重ジャッキ１６を駆動するための第１油圧ユニット４６が設置してある。そして、ボイラ鉄骨４０にはボイラサイド鉄骨フレーム４８が設けられ、この支柱５０の上端部に設けたジャッキベース５２にセンタホール型揚重ジャッキ１６を据え付けてボイラモジュール１０を昇降させるようにしている。図はボイラモジュール１０の片側を吊上げ支持している１つのジャッキのみを示しているが、実施形態では、片側に８台のセンタホール型揚重ジャッキ１６を配列し、図示していない他方の片側をやはり８台のセンタホール型揚重ジャッキ１６で吊上げ支持するようにしている。
【００１６】
ボイラモジュール１０は、複数のロッド単体１８Ｓを軸方向に螺着連結した吊りロッド１８（図２参照）に支持されながら、昇降されるようになっている。吊りロッド１８は、前記センタホール型揚重ジャッキ１６のセンタホール２８に貫通され、ラム３２の上下動と、上下位置に設けたチャック３４，３６を交互に作動させることにより、上下方向にピッチ移動される。
【００１７】
図４に示すように、ロッド単体１８Ｓ同士の連結部は、下に配置するロッド単体の頭部２２（二点鎖線で表示）に形成した雌ネジ部２４（図示せず）に、上に配置するロッド単体１８Ｓの雄ネジ部２６が螺着して連結される。頭部２２の側面には内部にネジのタップが形成された止めネジ穴２０２が設けられている。一方、雄ネジ部２６のネジ山の前記止めネジ穴２０２に対向する位置には、その一部を切削して形成したネジ山平坦面２０１とネジ山垂直面２０５が設けられ、ロッド単体１８Ｓ同士が連結後に止めネジ穴２０２を通って止めネジ２０３が螺貫される。
【００１８】
図５に示すように、止めネジ２０３はネジ山平坦面２０１に当接するまで挿入されるが、ロッド単体１８Ｓの緩み防止ためにネジ山平坦面２０１を押圧する必要は無く、軽く接触する程度で十分である。すなわち、止めネジ２０３とネジ山垂直面２０５とが干渉することでロッド単体１８Ｓの緩む方向への回転は防止される。なお、止めネジ２０３は螺貫状態で頭部２２の表面より突出しないような長さに設定することで、センタホール型揚重ジャッキ１６のロッド単体回転機構との干渉を避けることが出来る。
【００１９】
これにより、ロッド単体１８Ｓの雄ネジ部２６に何ら損傷を与えることなくロッド単体同士の連結部の緩み防止が可能となる。
【符号の説明】
【００２０】
１０…ボイラモジュール、１２…鉄骨柱、１４…仮設梁、１６…センタホール型揚重ジャッキ、１８…吊りロッド、１８Ｓ…ロッド単体、２０…軸部、２２…頭部、２４…雌ネジ部、２６…雄ネジ部、３０…シリンダ、３２…ラム、３４…上部チャック、３６…下部チャック、４０…ボイラ鉄骨、４２…作業床、４６…第１油圧ユニット、４８…ボイラサイド鉄骨フレーム、５０…支柱、５２…ジャッキベース、５４…高さ調整ジャッキ、５６…圧力検出器、５８…第２油圧ユニット、６８…バルブユニット、７０Ａ（Ｂ）…仕切り弁、２０１…ネジ山平坦面、２０２…止めネジ穴、２０３…止めネジ、２０５…ネジ山垂直面。
【図１】
0003181477.tif 000003
【図２】
0003181477.tif 000004
【図３】
0003181477.tif 000005
【図４】
0003181477.tif 000006
【図５】
0003181477.tif 000007